(57)【特許請求の範囲】
【請求項１】
光軸方向に移動可能な第１のレンズ群及び第２のレンズ群を有するレンズ鏡筒であって、
前記第１のレンズ群の保持部材にカム係合して前記保持部材を保持する第１のカム部材と、前記第２のレンズ群の保持部材にカム係合して前記保持部材を保持する第２のカム部材と、前記第１のカム部材及び第２のカム部材を案内する第３のカム部材と、前記第３のカム部材にカム係合して前記第３のカム部材を回転可能に支持する支持部材を備え、
前記第１のカム部材と前記第３のカム部材のカム機構と、前記第２のカム部材と前記第３のカム部材のカム機構は、独立に設けられており、
ズーム動作時に、前記第３のカム部材の回転に伴って前記第２のレンズ群と独立して前記第１のレンズ群が移動し、前記第３のカム部材の回転に伴って前記第１のレンズ群と独立して前記第２のレンズ群が移動することを特徴とするレンズ鏡筒。
【請求項２】
前記第１のカム部材と前記第３のカム部材のカム機構は、前記第１のカム部材と、前記第１のカム部材と一体的に光軸方向に移動可能であって前記第１のカム部材に対して光軸回りにて相対的に回転可能な第１の規制部材を備え、
前記第２のカム部材と前記第３のカム部材のカム機構は、前記第２のカム部材と、前記第２のカム部材と一体的に光軸方向に移動可能であって前記第２のカム部材に対して光軸回りにて相対的に回転可能な第２の規制部材を備えることを特徴とする請求項１に記載のレンズ鏡筒。
【請求項３】
前記第１の規制部材および前記第２の規制部材は前記第３のカム部材に対してそれぞれカム係合していることを特徴とする請求項２に記載のレンズ鏡筒。
【請求項４】
光軸方向に移動可能な第１及び第２のレンズ群と、該レンズ群の駆動機構を有するレンズ鏡筒であって、
前記第１のレンズ群の保持部材にカム係合して当該保持部材を保持する第１のカム部材と、
前記第２のレンズ群の保持部材にカム係合して当該保持部材を保持する第２のカム部材と、
前記第１のカム部材と一体的に光軸方向へ移動可能であって当該第１のカム部材に対して光軸回りにて相対的に回転可能な第１の直進環と、
前記第２のカム部材と一体的に光軸方向へ移動可能であって当該第２のカム部材に対して光軸回りにて相対的に回転可能な第２の直進環と、
前記第１及び第２の直進環とカム係合して前記第１及び第２のカム部材を案内する第３のカム部材と、
前記第３のカム部材にカム係合して当該カム部材を回転可能に支持する支持部材と、
前記第３のカム部材と一体的に光軸方向へ移動可能であって、前記第１及び第２の直進環の回転を規制する直進案内部材と、を備え、
前記第１の直進環には第１のカムフォロワが形成され、
前記第２の直進環には第２のカムフォロワが形成され、
前記第１のカム部材及び前記第２のカム部材にはそれぞれ突起が形成され、
前記第３のカム部材は前記第１のカムフォロワと係合する第１のカム溝及び前記第２のカムフォロワと係合する第２のカム溝並びに前記突起と係合する案内溝を有しており、
前記第１のカム部材、前記第３のカム部材、前記支持部材により、前記第３のカム部材の回転に伴って前記第１のレンズ群が移動し、前記第２のカム部材、前記第３のカム部材、前記支持部材により、前記第３のカム部材の回転に伴って前記第２のレンズ群が移動することを特徴とするレンズ鏡筒。
【請求項５】
前記第２のカム部材及び前記第２の直進環は、レンズ鏡筒の沈胴時に前記第１のレンズ群の保持部材及び前記第１のカム部材及び前記第１の直進環に対して、光軸と直交する半径方向の内側に収納されることを特徴とする請求項４に記載のレンズ鏡筒。
【請求項６】
前記直進案内部材にて光軸方向に延びる規制部と、
前記第２のカム部材及び前記第２の直進環にそれぞれ形成された孔を有し、
前記孔を挿通した前記規制部は前記第１の直進環に形成したスリットに嵌合することを特徴とする請求項４または請求項５に記載のレンズ鏡筒。
【請求項７】
光軸方向に移動可能な第１及び第２のレンズ群と、該レンズ群の駆動機構を有するレンズ鏡筒であって、
前記第１のレンズ群の保持部材にカム係合して当該保持部材を保持する第１のカム部材と、
前記第２のレンズ群の保持部材にカム係合して当該保持部材を保持する第２のカム部材と、
前記第１のカム部材と一体的に光軸方向へ移動可能であって当該第１のカム部材に対して光軸回りにて相対的に回転可能な第１の直進環と、
前記第２のカム部材と一体的に光軸方向へ移動可能であって当該第２のカム部材に対して光軸回りにて相対的に回転可能な第２の直進環と、
前記第１及び第２の直進環とカム係合して前記第１及び第２のカム部材を案内する第３のカム部材と、
前記第３のカム部材にカム係合して当該カム部材を回転可能に支持する支持部材と、
前記第３のカム部材と一体的に光軸方向へ移動可能であって、前記第１及び第２の直進環の回転を規制する直進案内部材と、を備え、
前記直進案内部材は光軸方向に延びる規制部を有し、前記第２のカム部材及び前記第２の直進環にはそれぞれ孔が形成され、前記孔を挿通した前記規制部が前記第１の直進環に形成したスリットに嵌合しており、
前記第１のカム部材、前記第３のカム部材、前記支持部材により、前記第３のカム部材の回転に伴って前記第１のレンズ群が移動し、前記第２のカム部材、前記第３のカム部材、前記支持部材により、前記第３のカム部材の回転に伴って前記第２のレンズ群が移動することを特徴とするレンズ鏡筒。
【請求項８】
請求項１乃至７のいずれか１項に記載のレンズ鏡筒と、
前記レンズ鏡筒を通して結像する被写体像を電気信号に変換する撮像素子を備えたことを特徴とする撮像装置。
【発明の詳細な説明】
【技術分野】
【０００１】
本発明はデジタルカメラなどの撮像装置に用いるレンズ鏡筒において、薄型でありながら沈胴時のレンズ群の移動ストロークを大きくするための技術に関する。
【背景技術】
【０００２】
撮像装置の撮影性能や携帯性の向上に伴い、沈胴式レンズ鏡筒の薄型化が求められている。従来、前群と後群のレンズ鏡筒を３段目のカム部材にカム係合保持した３段沈胴式のレンズ鏡筒が知られている。特許文献１には、沈胴時に撮影レンズのうちの一部を好適な位置に退避させることにより薄型化を図ったデジタルカメラが開示されている。
【先行技術文献】
【特許文献】
【０００３】
【特許文献１】特開２００４−３１７９４３号公報
【発明の概要】
【発明が解決しようとする課題】
【０００４】
ところで、従来の構成では前群と後群の相対距離が３段目のカム部材に配置した前群のカム溝及び後群のカム溝による移動量で制限される。このため、沈胴時におけるレンズ鏡筒の光軸方向の長さを極力短くし、かつレンズ駆動時には大きな相対距離の変化を得るという要請を両立させることが難しいという課題があった。
そこで本発明は、薄型の沈胴式レンズ鏡筒において、前群と後群の相対距離の変化を大きくすることを目的とする。
【課題を解決するための手段】
【０００５】
本発明の一実施形態のレンズ鏡筒は、光軸方向に移動可能な第１のレンズ群及び第２のレンズ群を有するレンズ鏡筒であって、前記第１のレンズ群の保持部材にカム係合して前記保持部材を保持する第１のカム部材と、前記第２のレンズ群の保持部材にカム係合して前記保持部材を保持する第２のカム部材と、前記第１のカム部材及び第２のカム部材を案内する第３のカム部材と、前記第３のカム部材にカム係合して前記第３のカム部材を回転可能に支持する支持部材を備える。前記第１のカム部材と前記第３のカム部材のカム機構と、前記第２のカム部材と前記第３のカム部材のカム機構は、独立に設けられており、ズーム動作時に、前記第３のカム部材の回転に伴って前記第２のレンズ群と独立して前記第１のレンズ群が移動し、前記第３のカム部材の回転に伴って前記第１のレンズ群と独立して前記第２のレンズ群が移動する。
【発明の効果】
【０００６】
本発明では第１のレンズ群と第２のレンズ群をそれぞれ別のカム部材にカム係合して保持し、これらのカム部材を第３のカム部材によって案内し、該第３のカム部材を前記支持部材にカム係合して支持する。これにより、各レンズ群の相対距離の変化を大きくすることができる。
【図面の簡単な説明】
【０００７】
【図１】本発明の一実施形態に係るレンズ鏡筒の構成例を示す中央断面図である。
【図２】レンズ鏡筒のカム軌跡を示す模式図である。
【図３】レンズ鏡筒のズーム機構系の構成例を示す分解斜視図である。
【図４】レンズ鏡筒のズーム機構駆動系、フォーカス駆動系、撮像素子の周辺部の構成例を示す分解斜視図である。
【発明を実施するための形態】
【０００８】
以下、本発明の撮像装置に係る実施形態として、３段沈胴式のレンズ鏡筒を備えた装置の構成例を説明する。図１はレンズ鏡筒を光軸に沿って切断した中央断面図であり、本図に基づいてレンズ鏡筒の構成の概略を説明する。撮影光学系は、第１のレンズ群（以下、１群という）１０１、第２のレンズ群（以下、２群という）１０２、第３のレンズ群（以下、３群という）１０３から成る。各レンズ群は一般的に複数の光学部材で構成され、３群１０３（本例では単レンズ）は撮像素子１０４の手前に位置する。撮像素子１０４は各レンズ群を通して結像する被写体像を電気信号に変換し、撮像信号を不図示の信号処理回路に出力する。撮像素子１０４の前面には光学フィルタ１０５が配置される。１群鏡筒１１１、２群鏡筒１１２、３群鏡筒１１３はそれぞれ、１群１０１、２群１０２、３群１０３の保持部材である。１群鏡筒（第１保持枠）１１１にはレンズ保護用のレンズバリアとその駆動部が設けられ、２群鏡筒（第２保持枠）１１２にはシャッタ機構や絞り機構が設けられているが、それらの詳細な説明は省略する。また１群１０１と２群１０２は協同して主に焦点距離調節機能をもち、３群１０３は主に焦点調節機能をもつ。
【０００９】
レンズ鏡筒の基台となるベース１２１は撮像素子１０４を保持し、支持部材である固定筒１２２に取り付けられている。固定筒１２２は円筒形を成し、内周にカム溝１２２ａを有する。レンズ鏡筒は、第１のカム部材（１群カム環１２４）、第２のカム部材（２群カム環１２６）、第３のカム部材（移動カム環１２３）を備える。さらに第１の直進環（１群直進環１２５）、第２の直進環（２群直進環１２７）と、直進環の回転を規制する直進案内部材（ガイドプレート１２８）が設けられている。
【００１０】
円筒状をした移動カム環１２３は、その外周部にカムフォロワ１２３ｚを有しており、これは固定筒１２２のカム溝１２２ａと係合する。移動カム環１２３の内周には２種類のカム溝１２３ａ、１２３ｂが形成されており、１群直進環１２５や２群直進環１２７に形成した不図示のカムフォロワが係合する。つまりカム溝１２３ａには１群直進環１２５の外周に設けたカムフォロワが係合し、またカム溝１２３ｂには２群直進環１２７の外周に設けたカムフォロワが係合する。１群直進環１２５は１群カム環１２４を保持しており、光軸方向において１群カム環１２４と一体的に移動可能であり、光軸回り方向においては相対的に回転可能である。１群カム環１２４の内周にはカム溝１２４ａが形成され、１群鏡筒１１１の外周部に設けたカムフォロワ１１１ｚが係合する。２群直進環１２７は２群カム環１２６を保持しており、光軸方向において２群カム環１２６と一体的に移動可能であり、光軸回り方向においては相対的に回転可能である。２群カム環１２６の内周にはカム溝１２６ａが形成され、２群鏡筒１１２の外周部に設けたカムフォロワ１１２ｚが係合する。ガイドプレート１２８は固定筒１２２に対して回転が規制される直進案内部材であり、後述する２本のキー（本例では長方形状の規制部）によって１群直進環１２５と２群直進環１２７の回転を規制している。
【００１１】
本レンズ鏡筒は、１群鏡筒１１１、２群鏡筒１１２の光軸方向における位置がそれぞれ、３つのカム環１２３、１２４、１２６によって決定される３段鏡筒である。ところで本例の光学系は１群１０１が負のパワーを持ち、２群１０２が正のパワーを持ち、３群１０３が正のパワーを持つ光学系であり、焦点距離の変化は主に１群と２群のレンズの配置で決定される。そして２群１０２が光軸方向に大きく移動することで焦点距離が変化するという性質がある。近年、レンズ全長の短縮化や高倍率化によって、レンズ全長に対する２群の移動量が相対的に大きくなる傾向にある。従来は１群の移動量でレンズ鏡筒の沈胴全長が決定されていたが、近年では２群の移動量による影響が大きくなっている。
【００１２】
図２は、１群が負、２群と３群が正のパワーをそれぞれ有する光学系について、各レンズ群のカム軌跡を模式的に示す。図２（Ａ）は１群１０１のカム軌跡を示し、図２（Ｂ）は２群レンズのカム軌跡を示しており、図の上方が被写体側、つまり撮像装置の前方を示す。「沈胴」はレンズ鏡筒が非動作時にカメラ本体に収納される状態を表し、「ワイド端」は画角変化における広角端を表し、「テレ端」は画角変化における望遠端を表している。図２中のＬ（１２２ａ）は固定筒１２２の内周に設けたカム溝１２２ａのカム軌跡を表し、沈胴からワイド端の手前にかけて直線的に変化し、ワイド端の手前からテレ端にかけて一定位置となる。１群１０１、２群１０２ともに、これらの光軸方向の位置にはカム溝１２２ａとこれに係合するカムフォロワ１２３ｚによるストローク分が共通の成分として加わる。図２（Ａ）においてＬ（１２３ａ）は移動カム環１２３の内周に設けたカム溝１２３ａのカム軌跡を表し、沈胴からワイド端の手前にかけて直線的に変化し、ワイド端の手前からテレ端にかけて一定位置となる。Ｌ（１２４ａ）は１群カム環１２４の内周に設けたカム溝１２４ａのカム軌跡であり、沈胴からワイド端の手前にかけて直線的に変化し、ワイド端からテレ端までの間には下方に凸の曲線部をもつ。１群１０１の光軸方向の位置は、合成軌跡Ｌ１totalに示すように、Ｌ（１２２ａ）、Ｌ（１２３ａ）、Ｌ（１２４ａ）に示す各カム軌跡の位置成分の合計によって決定され、１群１０１はこの軌跡に従って光軸方向に移動する。
【００１３】
２群１０２については、図２（Ｂ）に示すＬ（１２３ｂ）が移動カム環１２３の内周に設けたカム溝１２３ｂのカム軌跡を表し、沈胴からワイド端を超えたところまで一定位置であり、ワイド端からテレ端にかけて直線部をもつ。Ｌ（１２６ａ）は２群カム環１２６の内周に設けたカム溝１２６ａのカム軌跡を表し、沈胴からワイド端にかけて負勾配（後退方向）の直線部をもち、ワイド端からテレ端にかけて直線部をもつ。合成軌跡Ｌ２total（ａ）は、Ｌ（１２２ａ）、Ｌ（１２３ｂ）、Ｌ（１２６ａ）に示す各カム軌跡の位置成分の合計、すなわち２群１０２の移動軌跡を表している。
【００１４】
図中のΔ１２wideはワイド端における１群１０１と２群１０２の間隔（位置差）を表し、Δ１２tele（ａ）はテレ端における１群１０１と２群１０２の間隔を表す。この様に各レンズ群ともに沈胴位置からの移動量は同程度必要である。そして１群１０１と２群１０２の間隔についても、ワイド端でのΔ１２wideから、テレ端でのΔ１２tele（ａ）まで大きく変化できるようにする必要がある。これは１群鏡筒１１１を３段カム構成とし、２群鏡筒１１２を３段カム構成とすることで達成される。例えば２群のカム構成においてカム軌跡Ｌ（１２３ｂ）が無い２段構成を仮定する。この場合、２群の合成軌跡は破線で示すＬ２total（ｂ）となり、テレ端における１群と２群の間隔はΔ１２tele（ａ）からΔ１２tele（ｂ）に広がってしまい、画角倍率変化が低下してしまう。
【００１５】
本実施形態では、ベース１２１から２段目の移動カム環１２３において１群用のカム溝１２３ａと２群用のカム溝１２３ｂを分離して形成している。すなわち１群１０１と２群１０２との相互間隔は、１群鏡筒１１１のカム２段分のストローク（＝Ｌ（１２３ａ）＋Ｌ（１２４ａ））と、２群鏡筒１１２のカム２段分のストローク（＝Ｌ（１２３ｂ）＋Ｌ（１２６ａ））の差によって決まる。これにより、レンズ群同士の相互間隔について大きな変化量を得ることが可能である。例えば、ベースから３段目で１群と２群のカムを分離する構成の場合、１群と２群との相互間隔は１段分のカムストロークのみで決まるので、これを大きくする事はできなくなってしまう。
上述の構成により、短い沈胴全長のレンズ鏡筒においても１群と２群の移動量を大きくすることが可能となり、薄型化に好適なレンズ鏡筒を実現できる。
【００１６】
次にレンズ鏡筒の構成について詳細に説明する。図３はレンズ鏡筒におけるズーム機構系の分解斜視図である。先ず１群１０１の保持機構を説明すると、１群カム環１２４の内周には１群直進環１２５が嵌合し、不図示の脱落規制部によって両者は光軸方向へ一体的に移動可動であって、かつ相対的に回転可能である。１群カム環１２４の内周面に３箇所形成されたカム溝１２４ａには、１群鏡筒１１１に設けた３つのカムフォロワ１１１ｚがそれぞれ係合することで、１群鏡筒１１１がカム溝１２４ａに沿って案内される。１群直進環１２５の円筒部の側面には直進案内溝１２５ａが３箇所に形成されており、１群鏡筒１１１に設けた各カムフォロワ１１１ｚが係合することで１群鏡筒１１１の回転が規制される。１群直進環１２５自体の回転規制については、ガイドプレート１２８に立設した２つのキー１２８ａが１群直進環１２５の側面に形成した２箇所のスリット１２５ｂにそれぞれ嵌合することで行われる。なお各キー１２８ａは光軸を挟んで互いに対向して位置し、光軸に対して平行に延びている。ガイドプレート１２８にはそのフランジ部から半径方向の外方に延伸した凸部１２８ｚが３箇所形成されており、これらは固定筒１２２の内周に３箇所形成した直進案内溝１２２ｂにそれぞれ嵌合することで回転が規制される。
【００１７】
２群鏡筒１１２の保持機構についても１群鏡筒１１１の場合と同様、２群カム環１２６の内周に２群直進環１２７が嵌合し、不図示の脱落規制部によって両者は光軸方向へ一体的に移動可能であって、かつ相対的に回転可能である。２群カム環１２６の内周に３箇所形成したカム溝１２６ａには、２群鏡筒１１２に３箇所形成したカムフォロワ１１２ｚがそれぞれ係合し、２群鏡筒１１２はカム溝１２６ａに沿って案内される。２群直進環１２７の円筒部の側面には直進案内溝１２７ａが３箇所形成され、２群鏡筒１１２に３箇所形成したカムフォロワ１１２ｚがそれぞれの案内溝１２７ａに嵌合することで２群鏡筒１１２の回転が規制される。２群直進環１２７には、円筒部から半径方向にて外方に延伸したフランジ部１２７ｆが形成され、これにはスリット孔１２７ｂが２箇所形成されている。ガイドプレート１２８の各キー１２８ａを、フランジ部１２７ｆのスリット孔１２７ｂに挿通することで、２群直進環１２７の回転が規制される。２群カム環１２６には、その円筒部から半径方向にて外方に延伸したフランジ部１２６ｆが形成されており、この部分に２箇所形成された弧状の孔１２６ｃに、各キー１２８ａがそれぞれ挿通される。
【００１８】
次にカム溝とカムフォロワとの係合関係を説明する。１群直進環１２５に形成した第１のカムフォロワ１２５ｚは、移動カム環１２３の内周に形成した第１のカム溝１２３ａと係合する。２群直進環１２７に形成した第２のカムフォロワ１２７ｚは移動カム環１２３の内周に形成した第２のカム溝１２３ｂと係合する。これにより１群直進環１２５と２群直進環１２７はそれぞれカム溝１２３ａ、１２３ｂに沿って案内される。移動カム環１２３の内周には直進案内溝１２３ｃが円周方向において３箇所形成されている。これらの直進案内溝１２３ｃには、１群カム環１２４の外周の突起１２４ｚ、及び２群カム環１２６の外周の突起１２６ｚがそれぞれ嵌合しており、１群カム環１２４及び２群カム環１２６は移動カム環１２３に従動して回転する。移動カム環１２３は固定筒１２２の内周に３箇所形成したカム溝１２２ａに沿って案内される。つまり、各カムフォロワ１２３ｚがそれぞれに対応するカム溝１２２ａに係合する。移動カム環１２３の外周にはギア部１２３ｇが一体的に形成されている。該ギア部には後述する駆動ギアを介して駆動モータの力が伝達され、移動カム環１２３は光軸回りに回転すると共に光軸方向に移動する。ガイドプレート１２８は移動カム環１２３に設けた不図示の脱落規制部によって、移動カム環１２３と一体的に光軸方向へ移動可能であって、かつ光軸回り方向において相対的に回転可能である。
【００１９】
本構造では、移動カム環１２３の回転に従動して１群カム環１２４も回転するが、１群直進環１２５はガイドプレート１２８のキー１２８ａによって回転が規制されているため、１群鏡筒１１１は光軸方向にのみ移動することになる。なお１群直進環１２５はその後端部にて半径方向に延伸したフランジ部１２５ｆを有しており、鏡筒の強度向上及び遮光性向上の効果を奏する。
一方、移動カム環１２３の回転に従動して２群カム環１２６も回転するが、２群直進環１２７はガイドプレート１２８のキー１２８ａによって回転が規制されているため、２群鏡筒１１２は光軸方向にのみ移動することになる。なお２群カム環１２６、２群直進環１２７にはその後端部にて半径方向に延伸したフランジ部１２６ｆ、１２７ｆをそれぞれ有しており、鏡筒の強度向上及び遮光性向上の効果を奏する。
【００２０】
図４は、レンズ鏡筒におけるズーム機構駆動系、フォーカス駆動系、撮像素子の周辺部を示す分解斜視図である。ベース１２１の下方にはズーム機構の駆動源としてズームモータ４０１が取り付けられている。ズームモータ４０１の回転軸にはギア４０２が固定され、伝達ギア群４０３は、ギア４０２の回転力を移動カム環１２３のギア部１２３ｇに伝達する。ギア４０２に近辺に設けたフォトインタラプタ４０４は、ズームモータ４０１の回転方向及び回転数を検出する。ベース１２１に設けたフォトインタラプタ４０５は、ズーム駆動時のリセット位置を検出する。２群直進環１２７に設けた不図示の遮光リブがフォトインタラプタ４０５を遮光することでリセット検出が行われる。
【００２１】
３群鏡筒１１３にはスリーブ１１３ａが延設され、この部分にガイドバー４０７を挿通した状態でガイドバー４０７をベース１２１の保持部１２１ａで保持することによって、スリーブ１１３ａがベース１２１に支持される。これにより、３群鏡筒１１３はガイドバー４０７に沿って光軸と平行な方向に進退可能である。片寄せバネ４０８は、その一端が３群鏡筒１１３の一部に設けたフック１１３ｈに引っ掛けられ、他端はベース１２１の保持部１２１ａに設けたフック１２１ｈに引っ掛けられている。フォーカス駆動機構の駆動源としてのフォーカスモータ４１０は、３群鏡筒１１３を駆動する送りネジ機構を構成する。送りネジであるフォーカスモータ４１０の回転軸４１０ａと、３群鏡筒１１３に設けた送りナット４１１によって、３群鏡筒１１３はガイドバー４０７に沿って光軸と平行な方向に進退する。３群鏡筒１１３にはリブ１１３ｂが設けられており、これによってベース１２１に設けたフォトインタラプタ４１２が遮光される際、フォーカス駆動時における３群鏡筒１１３のリセット位置が検出される。撮像素子１０４は保持板４２０に固定され、複数のビス４２１を用いてベース１２１に取り付けられる。保持板４２０と光学フィルタ１０５（不図示）の間には防塵用のゴム部材４２２が挟持される。
【００２２】
以上、本実施形態によれば、１群１０１の保持枠を１群カム環１２４にカム係合で保持し、２群１０２の保持枠を２群カム環１２６にカム係合で保持する。そして、これらの部材を２段目の移動カム環１２３が係合保持して案内するので、１群と２群の相対距離の変化を大きくすることができる。そして沈胴時に、２群カム環１２６及び２群直進環１２７は１群鏡筒１１１、１群カム環１２４及び１群直進環１２５に対し、光軸と直交する半径方向の内側に収納される。このため１群鏡筒１１１と１群直進環１２５の隙間から侵入した外光があったとしても、フランジ部１２６ｆや１２７ｆによって遮光することができる。本例では、ガイドプレート１２８のキー１２８ａが、フランジ部１２７ｆに形成したスリット孔１２７ｂ、及びフランジ部１２６ｆに形成した弧状の孔１２６ｃを挿通する構成を採用している。キー１２８ａよりも半径方向の外側に各フランジ部が存在するので、遮光の効果が高まる。
【符号の説明】
【００２３】
１０１  第１のレンズ群
１０２  第２のレンズ群
１０４  撮像素子
１１１  保持部材（１群鏡筒）
１１２  保持部材（２群鏡筒）
１２２  支持部材（固定筒）
１２３  第３のカム部材（移動カム環）
１２４  第１のカム部材（１群カム環）
１２５  第１の直進環（１群直進環）
１２６  第２のカム部材（２群カム環）
１２７  第２の直進環（２群直進環）
【図１】
0005517653.tif 000002
【図２】
0005517653.tif 000003
【図３】
0005517653.tif 000004
【図４】
0005517653.tif 000005